(57)【要約】    【課題】  クリップの係合部がリフィールの係合受部にほんの僅かでも係合すれば、リフィールが突出状態となる。しかし、使用者は、その僅かな係合を認識することができず、筆記作業を開始してしまう。すると、その筆記圧如何によってはクリップの係合部とリフィールの係合受部との係合が解除され、その結果、リフィールが軸筒内に没入してしまったり、又、僅かな振動などによっても没入してしまったりしていた。    【解決手段】  軸筒内に筆記体ユニットを出没可能に配置した出没式筆記具であって、前記筆記体ユニットにクリップの係止部と係合する係合受部を設けると共に、その係合受部の前記クリップの係止部との当接開始部に傾斜面を形成した出没式筆記具。【選択図】  図１
2005178243.tif 000002
【特許請求の範囲】
【請求項１】
軸筒内に筆記体ユニットを出没可能に配置した出没式筆記具であって、前記筆記体ユニットにクリップの係止部と係合する係合受部を設けると共に、その係合受部の前記クリップの係止部との当接開始部に傾斜面を形成したことを特徴とする出没式筆記具。
【請求項２】
前記クリップの係止部の底部を筆記体ユニットの係合受部の方向に突出させたことを特徴とする請求項１記載の出没式筆記具。
【請求項３】
前記クリップと筆記体ユニットの係合を点接触、或いは、筆記体ユニットの傾斜面の傾斜方向と垂直な方向における線接触となしたことを特徴とする請求項１、或いは、請求項２に記載の出没式筆記具。
【発明の詳細な説明】
【技術分野】
【０００１】
本発明は、軸筒内に筆記体ユニットを出没可能に配置した出没式筆記具に関する。
【背景技術】
【０００２】
１例として、「軸筒内にリフィールを出没可能に配置し、そのリフィールにクリップの係止部と係合する係合受部を形成し、それらの係合によって前記リフィールの軸筒からの突出状態を維持する出没式筆記具。」がある。
【０００３】
【特許文献１】実開平４−２６７８０号公報（請求項１、第２図、第３図、第６図、第７図）。
【発明の開示】
【発明が解決しようとする課題】
【０００４】
上記に示されている従来技術にあっては、クリップの係合部が係合するリフィールの係合受部が、軸筒の軸線に対して直角な方向に形成されている。よって、クリップの係合部がリフィールの係合受部にほんの僅かでも係合すれば、リフィールが突出状態となる。しかし、使用者は、その僅かな係合を認識することができず、筆記作業を開始してしまう。すると、筆記圧如何によってはクリップの係合部とリフィールの係合受部との係合が解除され、その結果、リフィールが軸筒内に没入してしまったり、又、僅かな振動などによっても没入してしまったりしていた。
【課題を解決するための手段】
【０００５】
本発明は、軸筒内に筆記体ユニットを出没可能に配置した出没式筆記具であって、前記筆記体ユニットにクリップの係止部と係合する係合受部を設けると共に、その係合受部の前記クリップの係止部との当接開始部に傾斜面を形成したことを要旨とする。
【発明の効果】
【０００６】
本発明は、軸筒内に筆記体ユニットを出没可能に配置した出没式筆記具であって、前記筆記体ユニットにクリップの係止部と係合する係合受部を設けると共に、その係合受部の前記クリップの係止部との当接開始部に傾斜面を形成したので、確実な係合作用が得られる。
【発明を実施するための最良の形態】
【０００７】
作用について説明する。筆記体ユニットに設けた係合受部に形成された傾斜面によって、クリップの係合部は確実に係合受部に没入し係合する。
以下、図面に基づいて具体的に説明する。軸筒の内部にボールペン体が配置され、後部に配置されているノック部材を押圧操作することによって前記ボールペン体が突出する、いわゆる、出没式の筆記具（ボールペン）を１例として挙げ説明する。
軸筒１の前端には、先部材２が螺着などの手段によって着脱自在に固定されている。また、軸筒１の内部には、中軸３が前後動自在に配置されており、その中軸３の前方にはボーペン体４が前記先部材２に対して摺動自在に配置されている。そのボールペン体４の中間部には鍔部５が形成されており、その鍔部５と前期先部材２との間には、コイルスプリングなどからなる弾撥部材６が張設されている。つまり、前記中軸３やボールペン体４は、常時は、弾撥部材６によって後方に付勢され、前記軸筒１内に収納されているが、中軸３が前進移動することによって、ボールペン体４のボールペンチップ部４ａが先部材２の先端から突出し得るようになっている。
【０００８】
一方、前記軸筒１の後部内面には、圧入溝７が形成されており、その圧入溝７には径方向に付勢されたクリップ８の基部８ａが圧入・固定されており、そのクリップ８の先端内側には玉部９が形成されている。そして、前記中軸３が前進し、その中軸３の中間段部（係合受部）１０が玉部９に達すると、クリップ８の前方部分が軸筒１の窓孔１ａを介して径方向に倒れ込むように回転し、クリップ８の係合部１１が中軸３の中間段部１０に係合するのである。ここで、その中間段部１０には、直線状の傾斜面１０ａが形成されているが、その傾斜面１０ａを円弧状の傾斜面１０ｂ（図３参照）としても良い。
ここで、前記クリップ８は、金属材質からなる弾性状のクリップ本体１２と樹脂材質からなる比較的弾性を有しない押圧操作部材１３とから構成されているが、これに限定されることはなく、クリップ本体を弾性状の樹脂材質から構成し、一方、押圧操作部材を弾性を有さない金属材質から構成するなどしても良い。
又、クリップ本体１２は、板状部材から形成されており、その板状部材の先端部を直線部１１ａを含む湾曲状に形成することによって前記玉部９が形成されている。そして、その玉部９の係合部１０が中軸３の中間段部１０に係合する際には、係合部１１の直線部１１ａが傾斜し、中間段部１０と線接触し得るようになっているが、係合部１１に部分的な突出部を形成し、中間段部１０に点接触などさせても良い。
尚、前記玉部９の底部近傍の軸線方向の中央部には切り欠き部９ａが形成されており、その切り欠き部９ａに中軸３の小径部３ａが埋入し得るようになっている。ボールペン体４を突出した際、クリップ８の前端部近傍を極力軸筒１内に埋没させる為になされた手段である。クリップ８の前端近傍を軸筒１に埋没させることによって、クリップ８と中軸３との係合作用の確実性が更に向上すると共に、指間当接部におけるクリップの接触が防止され、良好な筆記作業が得られる。
符号１４は、前記中軸３の後端部に圧入・固定されたノック部材であって、そのノック部材１４は軸筒１の後端開口部から突出した状態で配置されている。
【０００９】
図６に示す例は、玉部１５の変形例であり、その玉部１５の底部には中軸３の中間段部（係合受部）１０の方向に向かって突出部１６が形成されている。この突出部１６が本例における係合部となる。そして、その突出部（係合部）１６も、中軸３の中間段部（係合受部）１０に対して線接触し得るようになっている。本例のように、玉部１５の底部を突出させ、その突出部１６を係合部とすることによって、前例に比し、更に、係合受部に対する係合作用の確実性が向上する。勿論、本例においても、玉部１５の底部近傍の軸線方向の中央部には切り欠き部１５ａが形成されており、筆記体ユニットの突出動作を確実なものとしている。
【００１０】
次に、ボールペン体４の出没操作（動作）について説明する。ノック部材１４を押圧すると、弾撥部材６の弾撥力に抗して前記中軸３並びに、ボールペン体４などが前進移動し、先部材２の先端からボールペンチップ部４ａが突出する。この時、中軸３の中間段部（係合受部）１０が、クリップ８の係合部１１に係合し、前記弾撥部材６の復帰力による後退動作が阻止される。この時、クリップ８の係合部１１は、中間段部１０の傾斜面１０ａを滑るように摺動しながら落下し、中間段部１０の底部１０ｃへと導かれ到達する。
再び、ボールペン体４を先部材２内に収納したい場合には、前記クリップ８に固定された押圧操作部材１３の後部を軸筒１の方向に押圧する。この動作によってクリップ本体１２は前方部分が持ち上げられるように回転し、係合部１１と中軸３の中間段部１０との係合が解除される。この瞬間に前記中軸３が芯タンク１４などと共に弾撥部材６の復元作用によって後退する（図１参照）。
【図面の簡単な説明】
【００１１】
【図１】本発明を示す縦断面図。
【図２】図１の要部拡大図。
【図３】係合受部の変形例を示す要部断面図。
【図４】動作を示す要部断面図。
【図５】動作を示す要部断面図。
【図６】クリップの変形例を示す側面図。
【符号の説明】
【００１２】
１      軸筒
１ａ    窓孔
２      先部材
３      中軸
４      ボールペン体
５      鍔部
６      弾撥部材
７      圧入溝
８      クリップ
９      玉部
１０      中間段部（係合受部）
１１      係合部
１２      クリップ本体
１３      押圧操作部材
１４      ノック部材
１５      玉部
１６      突出部（係合部）
【図１】
2005178243.tif 000003
【図２】
2005178243.tif 000004
【図３】
2005178243.tif 000005
【図４】
2005178243.tif 000006
【図５】
2005178243.tif 000007
【図６】
2005178243.tif 000008